(57)【要約】      （修正有）【課題】手こぎボートの効率に匹敵する大きな推進力が得られるシステムであり、なおかつ小型軽量で、思わず個人で所有してみたくなるような足こぎボートを実現する。【解決手段】自転車と同じように足でクランクに取り付けられたペダル７をこいで、チェーン８又はベルトによって動力を伝え、その力によって後部にとりつけたフィン１２を魚の尾ひれと同じように作動させて、それによって推進力を得るタイプの足こぎボートを考えついた。【選択図】図１
2010188990.tif 000002
【特許請求の範囲】
【請求項１】
自転車と同じように足でペダルをこいでチェーン又はベルトによって動力を伝え、後部にとりつけたフィンを魚の尾ひれと同じように作動させて、それによって推進力を得る足こぎタイプのボート。
ボートの後部中央に１８０度２軸のクランクシャフトを垂直に設置し、チェーンによって伝えられた動力によって回転できるように軸受けを上下に設置する。
そのクランクシャフトの上部にはベベルギアをとりつけてチェーンによって伝えられた動力の回転軸を垂平から垂直に変換させる。
そしてそのクランクシャフトの左右にそれぞれ２０ｃｍぐらい離して２つのフィンをとりつける。そのフィンの形状は魚の尾ひれに以た形とし、その付け根の部分は垂直の回転軸を介してボートの後部にとりつけて、魚の尾ひれと同じような動作ができるようにする。そしてそのフィンの中央付近の任意の場所に垂直の回転軸を設置してクランクシャフトの２つの軸と、それぞれ左右のフィンをコンロッドによって連結させる。その結果クランクシャフトの回転運動を２つのフィンの首ふり運動に変換させる事ができ、魚の尾ひれと同じような働きをさせる事ができる。尚、２つのフィンを水平対向方向に作動させる事によって、１つだけでは発生してしまう横ゆれをお互いに打ち消しあう事になるので、より滑らかな水上走行ができる。
【発明の詳細な説明】
【技術分野】
【０００１】本発明は水の上を走るボートの推進装置に関する。
【背景技術】
【０００２】湖などで使われているスワンボートは足でペダルをこいで、その力で後部にとりつけた水車を回転させる事によって推進力を得ている。【０００３】そして自転車は、サドルにすわってハンドルをにぎり、足でペダルをこぐ事によって、その力でタイヤを回転させて陸の上を走る事ができる。
【発明の概要】
【発明が解決しようとする課題】
【０００４】以上に述べたスワンボートは必要な推進力を得るために大きな水車をとりつけなくてはならないので、大きく重くなり、持ち運びをする事が困難なものなので、一般の人が個人で所有する気にはなりにくい物でした。【０００５】そして自転車では、陸の上を走る事はできても、水の上を走る事はできない。【０００６】本発明は、足でペダルをこいで推進力を得るタイプのボートしては、はじめて手こぎボートの効率に匹敵する大きな推進力が得られるシステムであり、なおかつ小型軽量で、思わず個人で所有してみたくなるような足ごぎボートを実現する事を、目的とするものである。
【課題を解決するための手段】
【０００７】そして本発明は、上記目的を達成するために自転車と同じように足でペダルをこいでチェーン又はベルトによって動力を伝え、その力によって後部にとりつけたフィンを魚の尾ひれと同じように作動させて、それによって推進力を得られるようにしたものである。【０００８】また第２の課題解決手段は、ボート本体を鉄又はアルミのパイプを溶接して組みあげた立体的なフレーム形状とし、その横幅はなるべく１ｍ以下にする。【０００９】第３の課題解決手段は、フレームのほぼ中央の上面部分に自転車と同じクランクとペダルを設置しチェーンリングをとりつける。そしてその上部に人が座るためのサドルをとりつけ、そのやや前方にハンドルポストを設置してハンドルをとりつけて、完成時には人が乗ってハンドルをにぎり、むりなく足でペダルをこげるようにする。【００１０】第４の課題解決手段は、フレームの後部中央に１８０度２軸のクランクシャフトを垂直に設置しチェーンによって伝えられた動力によって回転できるように、軸受けを上下にとりつける。
そしてそのクランクシャフトの上部にはベベルギヤをとりつけて、チェーンによって伝えられた動力の回転軸を垂平から垂直に変換させる。そしてそのクランクシャフトの左右にそれぞれ２０ｃｍぐらい離して２つのフィンをとりつける。そのフィンの形状は、魚の尾ひれに以た形とし、根元の部分は、垂直の回転軸を介してフレームに取りつけ、魚の尾ひれと同じような動作ができるようにする。そしてそのフィンの中央付近の任意の場所に垂直の回転軸を設置して、クランクシャフトの２つの軸とそれぞれ左右のフィンをコンロッドによって連結して、クランクシャフトの回転運動を２つのフィンの首ふり運動に変換させる。【００１１】第５の課題解決手段は、ハンドルをとりつけた軸の先に操舵用のフィンをとりつける。【００１２】第６の課題解決手段は、浮力を得るための装置として、バナナボートに以た形のゴム製のうきをフレームの左右に１つづつベルトを使ってとりつける。そのうきの１つあたりの空気の容量は、１００ｌ以上とする。【００１３】第７の課題解決手段は、オプションとして電動アシスト装置をとりつける事ができるようにする。【００１４】上記第１の課題解決手段による作用は、次のとおりである。
すなわち手を使ってオールをこぐ場合と比較して足の力を使った方がより強い力を発揮できるし、フィンを魚の尾ひれと同じように働かせれば、手でオールをこぐ場合に匹敵するエネルギー効率を発揮させる事ができるようになる。【００１５】また第２の課題解決手段による作用は、鉄などのパイプを本体の素材にする事によって、比較的軽量でなおかつ強度的にも必要充分なものを作る事ができる。尚、横幅を１ｍ以下におさえる事によって、ハッチバックの自動車などに積載できるようになる。【００１６】第３の課題解決手段による作用は、本体を自転車に以た構造にする事によって足でペダルをこぐ力をより効率的に引きだせるようになる。【００１７】第４の課題解決手段による作用は、１８０度２軸のクランクシャフトの回転運動を２つのフィンの首ふり運動に変換させる事によって比較的大きな推進力を発生させる事ができるようになるし、なおかつ２つのフィンを水平対向方向に作動させる事によって１つだけでは、発生してしまう横ゆれをお互いに打ち消しあう事になるので、より滑らかな水上走行ができるようになる。【００１８】第５の課題解決手段による作用は、ハンドルを動かす事によって操舵する事ができるようになり、より自転車に近い感覚で水上走行ができるようになる。【００１９】第６の課題解決手段による作用は、うきの形をバナナボートに以た形にする事で水の抵抗を小さくする事ができるし、また十分な空気の容量をもたせる事によって、体重の比較的重い人でも乗れるようになる。【００２０】第７の課題解決手段による作用は、比較的足の力が弱い人が乗っても十分な推進力が発揮できるようになるし、商品としての魅力もより高くなる。
【発明の効果】
【００２１】上述したように本発明のフィシュテールボートは自転車のように手軽に乗れて、なおかつエネルギー効率の良い水上走行ができる、とても魅力的な乗りものになる。
【図面の簡単な説明】
【００２２】
【図１】本発明の実施形態を示すフィシュテールボートの全体図。
【図２】本体後部にとりつけるフィンを横から見た図
【図３】同フィンを上から見た図
【発明を実施するための形態】
【００２３】以下、本発明の実施の形態を図１〜図３に基づいて説明する。
【００２４】図において１は本体のフレームで２は浮力を発生させるためのうきで、３はそのうきを本体に固定するためのベルトである。
【００２５】また図において４は、人が座るためのサドルで５はハンドル。そのハンドルをとりつけた回転軸の先には６の操舵用のフィンをとりつける。
【００２６】そして７は人が足でこぐためのペダルで、そのペダルをこいで発生させた動力は、８のチェーンを介して９のベベルギアに伝えられ、垂平の回転軸を垂直の回転軸に変換され、１０の１８０度２軸のクランクシャフトを回転させる。尚、１１は、チェーンをスムーズに動かすためのチェーンガイド。
【００２７】１２のフィンは１０の１８０度２軸のクランクシャフトの左右にそれぞれ２０ｃｍぐらい離して、本体の後部に１３の回転軸を介してとりつけて、魚の尾ひれと同じような動作ができるようにする。
【００２８】そのフィンの中央付近の任意の場所には１４の垂直の回転軸を設置して、１０の２つのクランク軸とそれぞれ左右のフィンの１４の垂直の回転軸とを１５のコンロッドによって連結させる。そしてその結果１０の１８０度２軸のクランクシャフトの回転運動が１２のフィンの首ふり運動に変換される。
【００２９】１２のフィンは、数点の部品によって構成され、１７と１８の根元から、中間までの部分は、鉄製とし、中間から先端までの１６の材質はＣＦＲＰ製とする。
【００３０】そのフィンの根元の部分１７はパイプ状とし、１３の回転軸の棒状の部分を中に通せるようにする。そして１８の板状の部品とは溶接によって結合させる。そしてその板状の部品の任意の場所に四角い穴をあけ、その穴の上下に１９のブラケットを溶接によって結合させて、１４の垂直の回転軸を設置できるようにする。尚、その１４の垂直の回転軸はボルトと同じ形状として、とりはずす事が出来るようにする。
【００３１】１８の鉄製の部品と１６のＣＦＲＰ製の部品の接合は２１のボルトを使っておこなう。尚、その際は２２のガイド板と２３のゴム製の板を間にはさんで、２４のハードロックナットを使って組み立てる。間にゴム製の板をはさむ事によってコンプライアンスを持たせることができるので、耐久性とエネルギー効率が良くなる可能性が高くなる。
【符号の説明】
【００３２】１０  １８０度２軸のクランクシャフト
１２  フィン
１５  コンロッド
【図１】
2010188990.tif 000003
【図２】
2010188990.tif 000004
【図３】
2010188990.tif 000005